(57)【特許請求の範囲】
【請求項１】
ズボンの太股部分の左右方向外側面に、物品を収納するためのポケット部を備えているズボンであって、
前記ポケット部が、ズボン側に縫着される一枚の扁平で矩形状の外皮部材の４辺のうちの隣り合う２辺に、スライドファスナーをそれぞれ有する物品出し入れ用の第１及び第２の開口部をそれぞれ独立して備え、前記第１開口部は、起立姿勢において前記ポケット部の上部に位置してそこから該ポケット部の物品収納部に物品を出し入れ可能に構成され、前記第２開口部は、座った姿勢において前記ポケット部の上部に位置してそこから該ポケット部の物品収納部に物品を出し入れ可能に構成され、前記各スライドファスナーを構成する一対のテープ材の表面を前記外皮部材の表面とほぼ平行となる状態で該テープ材と該外皮部材とを連結し、前記第１開口部からの物品収納部と前記第２開口部からの物品収納部とを前後方向に別々に形成し、該第２開口部の物品収納部を該第１開口部の物品収納部よりも前側に配置したことを特徴とするズボン。
【請求項２】
前記第２開口部の形成方向がズボンの長手方向に沿う方向であり、かつ、前記第１開口部の形成方向がズボンの長手方向と直交する方向に形成されている請求項１に記載のズボン。
【請求項３】
前記外皮部材の４つの角部のうち、前記２つの開口部の端部のそれぞれが互いに接近する角部に、該開口部が形成されていない端部分を形成したことを特徴とする請求項１又は２に記載のズボン。
【請求項４】
前記ポケット部の裏地をメッシュ生地にて構成していることを特徴とする請求項１〜３のいずれかに記載のズボン。
【発明の詳細な説明】
【技術分野】
【０００１】
本発明は、起立姿勢の他、脚を折り曲げて座る（しゃがむ）姿勢、あるいは椅子等に着座した座り姿勢になりながら行う釣り時に、特に有効となるズボンに関する。
【背景技術】
【０００２】
上記ズボンに備えているポケットには、脇ポケットの他に、例えばズボンの外側面に別のポケットを備えているものがある。この別のポケットは、起立姿勢においてそれの上縁に第１開口部を備えるとともにこの第１開口部と前側縁に第２開口部の２つの開口部を備えさせ、第１開口部を閉じるためのフラップでなる蓋と第２開口部を閉じるスライドファスナーとを備えたものから構成し、起立姿勢において前記ポケット部の上部に位置している第１開口部から該ポケットの物品収納部に物品の出し入れを行い、座った姿勢において前記ポケット部の上部に位置している第２開口部から該ポケットの物品収納部に物品の出し入れを行うようにしている（例えば、特許文献１参照）。
【０００３】
又、前記第１開口部と第２開口部とが連通されて１つの開口部を形成し、開口部に２つのスライダーを備えたスライドファスナーを備え、第１開口部に対応する部分を２つのスライダーのうちの一方のスライダーにて開閉し、第２開口部に対応する部分を残りのスライダーにて開閉するように構成されたものも提案されている（例えば、特許文献２参照）。
【特許文献１】登録実用新案第３０５６９２９号公報（図２参照）
【特許文献２】登録実用新案第３０３８８０７号公報（図２及び図３参照）
【発明の開示】
【発明が解決しようとする課題】
【０００４】
前記特許文献１では、第１開口部を閉じるものがフラップであることから、第１開口部を完全に閉じることができない構成である。このため、座った姿勢において第１開口部が水平方向に向いてしまうと、ポケットに収納する収納物の大きさ等によっては、第１開口部とフラップとの隙間から収納物が外部へ飛び出してしまうことがある不都合があった。
又、ポケット部を構成する外側に位置する布に対して内部に収容した別の布をズボンに縫い付けて２つの物品収納部を構成している。そして、前記別の布とズボンとの間にスライドファスナーを備えさせ、外側に位置している布の前側縁に切欠き部を形成してスライドファスナーをその切欠き部を通して内部に位置しているスライダーをスライド操作しなければならず、奥まった位置にあるスライダーを開閉操作することが手間のかかる煩わしいものになっていた。
【０００５】
又、特許文献２では、前記のような収納物の飛び出しを回避することができるだけでなく、第１開口部と第２開口部の両方を開放状態にできるものの、大きな開口になるため、物品収納部から取り出したいもの以外のものまで余分に飛び出してしまうことがある。その上、２つの開口部を全開にしてから、全閉状態にするときに一方のスライダーを所定位置に位置ずれすることなく確実に位置させるためには、ゆっくりとスライダーを移動操作しなければならず、操作性が悪化することもあり、取り扱い上において改善の余地があった。
【０００６】
本発明が前述の状況に鑑み、解決しようとするところは、ポケット部から必要な収納物のみを確実に取り出すことができるものでありながら、ポケット部の開口部の開閉操作を容易迅速に行えるズボンを提供することを課題とする。
【課題を解決するための手段】
【０００７】
本発明のズボンは、ズボンの太股部分の左右方向外側面に、物品を収納するためのポケット部を備えているズボンであって、前記ポケット部が、ズボン側に縫着される一枚の扁平で矩形状の外皮部材の４辺のうちの隣り合う２辺に、スライドファスナーをそれぞれ有する物品出し入れ用の第１及び第２の開口部をそれぞれ独立して備え、前記第１開口部は、起立姿勢において前記ポケット部の上部に位置してそこから該ポケット部の物品収納部に物品を出し入れ可能に構成され、前記第２開口部は、座った姿勢において前記ポケット部の上部に位置してそこから該ポケット部の物品収納部に物品を出し入れ可能に構成され、前記各スライドファスナーを構成する一対のテープ材の表面を前記外皮部材の表面とほぼ平行となる状態で該テープ材と該外皮部材とを連結し、前記第１開口部からの物品収納部と前記第２開口部からの物品収納部とを前後方向に別々に形成し、該第２開口部の物品収納部を該第１開口部の物品収納部よりも前側に配置したことを特徴としている。
一枚の外皮部材に第１及び第２の開口部を独立して備えるとともに、それら開口部を独立したスライドファスナーにてそれぞれ開閉操作することができるから、起立姿勢においてポケット部の上部に位置している第１開口部を通してポケット部の物品収納部に物品を出し入れすることができる。又、座った姿勢においてポケット部の上部に位置している第２開口部を通してポケット部の物品収納部に物品を出し入れすることができる。前記座った姿勢とは、脚を折り曲げてしゃがんだ（屈んだ）姿勢や椅子等に座った姿勢等、大腿部が地面（床面）に対して平行又はそれに近い状態になる姿勢を言う。
【０００８】
前記第２開口部の形成方向がズボンの長手方向に沿う方向であり、かつ、前記第１開口部の形成方向がズボンの長手方向と直交する方向に形成されていてもよい。
【０００９】
前記外皮部材の４つの角部のうち、前記２つの開口部の端部のそれぞれが互いに接近する角部に、該開口部が形成されていない端部分を形成してもよい。
【００１４】
前記ポケット部の裏地をメッシュ生地にて構成してもよい。
【発明の効果】
【００１５】
一枚の外皮部材に第１及び第２の開口部を独立して備えるとともに、それら開口部を独立したスライドファスナーにてそれぞれ開閉操作することができるから、起立姿勢及び座った姿勢のときに、ポケット部から必要な収納物のみを確実に取り出すことができるものでありながら、ポケット部の開口部の開閉操作を外皮部材から露出しているスライダーを持って容易迅速に行えるズボンを提供することができる。
また、前記各スライドファスナーを構成する一対のテープ材の表面を前記外皮部材の表面とほぼ平行となる状態で該テープ材と該外皮部材とを連結することによって、スライドファスナーが外皮部材から大きく突出することがない。
また、前記第１開口部からの物品収納部と前記第２開口部からの物品収納部とを前後方向に別々に形成し、該第２開口部の物品収納部を該第１開口部の物品収納部よりも前側に配置することによって、起立時に使用頻度の高いものと座っている時に使用頻度の高いものとを分けて収納することができ、取り出したい収納物を不必要な収納物と間違って取り出すことを回避することができる。
また、前記ポケット部をズボンの太腿部分の左右方向外側面に備えさせることによって、一対の脚が対向位置するズボンの太腿部分の左右方向内側面に備えさせる場合に他方の脚部が邪魔になるのに対して、収納物の取出しがし易い利点がある。
【００１６】
前記外皮部材の４つの角部のうち、前記２つの開口部の端部のそれぞれが互いに接近する角部に、該開口部が形成されていない端部分を形成することによって、２つの開口部を連続する開口部にしている場合に、開口部を全開状態にしたときに外皮部材が大きく変形してしまい、収納物が不測に飛び出してしまうといったようなことがなく、収納物の取り出しに支障を来たすことがない。
【００２１】
前記ポケット部の裏地をメッシュ生地にて構成することによって、開口部を通して通気することができ、ベンチレーション機能を付加することができる。
【発明を実施するための最良の形態】
【００２２】
図１〜図３（ａ），（ｂ）に、釣り用ズボンを示している。この釣り用ズボンは、防水性を有する生地にて構成する場合が一般的であるが、防水性を有さない生地にて構成することもできる。前記釣り用ズボンの左側の脚部１の太腿部分２の左右方向外側面にポケット部３を縫い付けている。前記ポケット部３を、右側の脚部の太腿部分の左右方向外側面にも備えさせてもよいし、左右の脚部のうちの少なくとも一方の脚部の太腿部分の左右方向内側面にポケット部を備えさせて実施することもできるが、太腿部分の左右方向外側面にポケット部を備えさせている場合の方が、太腿部分の左右方向内側面にポケット部を備えさせている場合において、他方の脚部が邪魔になって取り出し難いといったことを回避できる利点がある。ここでは、ポケット部３をズボンの脚部の太腿部分２の左右中央部に位置する折り目を境界線として外側と内側とに備えさせるようにする他、該境界線を跨いだ状態でポケット部を備えさせてもよく、膝部から上側部分であれば、どこに備えさせてもよい。又、ポケット部３の大きさも図に示されるものに限定されるものではない。又、長ズボンの他、半ズボンにもポケット部を備えさせてもよい。
【００２３】
図２〜図５（ａ），（ｂ）に示すように、前記ポケット部３が、ズボン側に縫着される扁平でかつ一枚の正方形状（長方形でもよい）の布製又は合成樹脂製（革製等でもよい）の外皮部材４の４辺のうちの周方向で隣り合う２辺に沿って、スライドファスナー５，６をそれぞれ有する物品出し入れ用の第１及び第２の開口部７，８を非連続な状態で独立して備え、前記第１開口部７は、図１に示す起立姿勢において前記ポケット部３の上部に位置してそこから該ポケット部３の第１物品収納部９（図５（ａ），（ｂ）参照）に物品を出し入れ可能に構成され、前記第２開口部８は、図２（ａ），（ｂ）及び図３（ａ），（ｂ）に示すように、台Ｄに座った姿勢（しゃがんだ姿勢でもよい）において前記ポケット部３の上部に位置してそこから該ポケット部３の第２物品収納部１０（図５（ａ），（ｂ）参照）に物品を出し入れ可能に構成されている。前記第１及び第２の開口部７，８をほぼ同一の大きさに構成しているが、異なる大きさに構成することもできる。前記第２開口部８の形成方向がズボンの長手方向に沿う方向であり、かつ、前記第１開口部７の形成方向がズボンの長手方向と直交する方向に形成されている。又、前記外皮部材４の４つの角部のうち、前記２つの開口部７，８の端部のそれぞれが互いに接近する角部（コーナー部）に、該開口部７，８が形成されていない端部分４Ａを形成しているが、該端部分４Ａにいずれか一方の開口部７又は８が入り込む構成であってもよい。前記端部分４Ａを設けることによって、外皮部材４の保形強度を維持することができるから、開口部７，８を開放状態にしても、開口部７，８が不測に大きく変形するようなことがなく、収納物の取り出しに支障を来たすことがない利点がある。
【００２４】
前記スライドファスナー５，６は、一対のテープ（基布）５Ａ，５Ａ、６Ａ，６Ａと、それらテープ５Ａ，５Ａ、６Ａ，６Ａに互いに対向するように取り付けられた多数の歯からなるエレメント（務歯部）５Ｂ，５Ｂ、６Ｂ，６Ｂと、前記一対のエレメント５Ｂ，５Ｂ、６Ｂ，６Ｂを噛み合わせる、又はその噛み合いを解除操作するためのスライダー（開閉部材）５Ｃ、６Ｃと、このスライダー５Ｃ、６Ｃに取り付けられた摘み部５Ｄ、６Ｄとからなっている。前記第１開口部７を構成するスライドファスナー５の外縁側に位置するテープ材５Ａを、ズボンの脚部の太腿部分２に縫い付ける際に、図５（ｂ）に示すように外側部分５ａを内側に折り曲げて重ねた状態で太腿部分２に縫い付けることによって、その部分の強度を高めるようにしているが、重ねることなく一枚の状態で縫い付けてもよい。
【００２５】
図４及び図５（ａ），（ｂ）に示すように、前記ポケット部３は、正方形の外皮部材４と、この外皮部材４とほぼ同一の大きさに構成され、前記第１開口部７に対応する部分が切り欠かれた切欠き部１１Ｋを備えた一枚のほぼ正方形状で布製又は合成樹脂製（革製等でもよい）の物品収納部形成部材１１とからなり、外皮部材４と物品収納部形成部材１１とを、図４で示す破線部分４Ｈ，１１Ｈで縫い付けることにより、前記第２物品収納部１０を構成することができるようになっている。そして、外皮部材４の４辺全ての外周縁をズボンの脚部の太腿部分２に縫い付けることによって、前記第１物品収納部９を構成することができるようになっているが、他の構成であってもよい。
【００２６】
図５（ａ）に示すように、前記第２物品収納部１０を前記第１物品収納部９よりも前側に配置することによって、特にしゃがんだ不安定な姿勢で取り出す場合に、前側に位置する物品収納部９から物品を迅速に取り出すことができるが、第２物品収納部１０を第１物品収納部９よりも後側に配置してもよい。
【００２７】
図２（ａ）及び図３（ａ）に示すように、座った姿勢において、前記第１開口部７に対応するスライドファスナー５が閉じている状態では、該スライドファスナー５のスライダー５Ｃが上端に位置しており、スライダー５Ｃを上から徐々に開くことによって、収納物が飛び出すことがないようにしている。
【００２８】
前記各スライドファスナー５又は６を構成する一対のテープ材５Ａ，５Ａ又は６Ａ，６Ａの表面を前記外皮部材４の表面とほぼ平行となる状態で該テープ材５Ａ，５Ａ又は６Ａ，６Ａと該外皮部材４とを連結することによって、ポケット部３の突出量を抑えることができるが、他の連結であってもよい。
【００２９】
図２（ａ），（ｂ）に示すように、前記２つのスライドファスナーの閉じ状態において、該スライドファスナー５，６のスライダー５Ｃ，６Ｃが互いに接近する端に位置しており、離間する端に２つのスライダー５Ｃ，６Ｃをそれぞれ配置する場合においてスライダー５Ｃ又は６Ｃを開放操作し難いといったことがなく、開放操作を迅速に行える利点があるが、閉じた状態でのスライダーの位置は自由に変更可能である。
【００３０】
前記ポケット部３の裏地、つまり前記物品収納部形成部材１１及び該物品収納部形成部材１１に対応する太腿部分２をメッシュ生地にて構成することによって、スライドファスナー５，６のうちの少なくとも一方を開放状態にしておけば、ズボンの内部から、太腿部分２、物品収納部形成部材１１、スライドファスナーの開口部を通して外部に連通して通気することができ、ベンチレーション機能を付加することができるが、メッシュ生地にて構成しなくてもよい。  
【００３１】
図１〜図５では、２つの物品収納部９，１０から構成したが、前記第１開口部７からの物品収納部９と前記第２開口部８からの物品収納部１０とを共通な物品収納部から構成することによって、２つの開口部７，８のうちのどちらからでも物品を取り出すことができる利点がある。
【００３２】
前記ポケット部３をズボンの上面に縫い付けることによって、ズボンの内部に物品収納部９，１０が入り込まない構成を示したが、ズボンの内部に物品収納部９，１０が入り込むようにズボンに開口を備えさせて実施することもできる。
【００３３】
又、前記ポケット部３がマチの無い扁平な形状に構成したが、少なくとも一辺にマチを備えたポケット部３であってもよい。
【図面の簡単な説明】
【００３４】
【図１】ポケット部を備えたズボンの側面図である。
【図２】（ａ）腰掛けた状態のポケット部の拡大側面図、（ｂ）は台に腰掛けた状態を示す斜視図である。
【図３】（ａ）腰掛けた状態で第２開口部を開放状態にしたポケット部の拡大側面図、（ｂ）は台に腰掛けて第２開口部を開放状態を示す斜視図である。
【図４】ポケット部の分解斜視図である。
【図５】（ａ）は図２におけるＡ−Ａ線断面図、（ｂ）は図２におけるＢ−Ｂ線断面図である。
【符号の説明】
【００３５】
１…脚部、２…太腿部分、３…ポケット部、４…外皮部材、４Ｈ，１１Ｈ…破線部分、５，６…スライドファスナー、５Ａ，６Ａ…テープ材、５Ｂ，６Ｂ…エレメント、５Ｃ，６Ｃ…スライダー、５Ｄ，６Ｄ…摘み部、５ａ…外側部分、７，８…開口部、９，１０…物品収納部、１１…物品収納部形成部材、１１Ｋ…切欠き部、Ｄ…台
【図１】
0005174404.tif 000002
【図２】
0005174404.tif 000003
【図３】
0005174404.tif 000004
【図４】
0005174404.tif 000005
【図５】
0005174404.tif 000006